(57)【要約】【課題】頑固な便秘の患者に対し、摘便効果が十分で、摘便に際し患者に羞恥心や苦痛を与えることなく、また患者の直腸の内壁部を傷つける危険性のない摘便用の器具を提供することを課題とする。【解決手段】両端を開口部１１，１１とした円筒形のシリンダー１に、先端部に挿入ガイド２１を取り付けたピストン２を摺動自在に挿入し、この挿入ガイド２１は、基端部の外周が、シリンダー１の内壁１３に密接するよう構成し、ピストン２をシリンダー１内で後退させたとき、宿便と接するシリンダー１の先端開口部１１とピストン２先端の挿入ガイド２１との間に負圧部が形成できるよう構成する。【選択図】図４
2011172619.tif 000002
【特許請求の範囲】
【請求項１】
両端部を開口部とした円筒状のシリンダーと、このシリンダーに摺動自在に挿入されるピストンとから成り、ピストンの先端には挿入ガイドが形成され、この挿入ガイドの基端部に、シリンダーの内壁に密接しながら摺動できる大きさの円形の密接部が形成されている摘便用の器具。
【請求項２】
ピストンは、シリンダーに挿入した時に、先端に形成した挿入ガイド部分のみがシリンダーの先端開口部から突出できる長さとして構成している請求項１記載の摘便用の器具。
【請求項３】
ピストンに、その上端部に形成した指掛け用の鍔から、挿入ガイドに通じる薬液注入用の長孔が形成されている請求項１記載の摘便用の器具。
【発明の詳細な説明】
【技術分野】
【０００１】
本発明は、頑固な便秘の患者に適用して、安全、正確かつ衛生的に宿便を摘出するための摘便用の器具に関するものである。
【背景技術】
【０００２】
頑固な便秘の患者に対して、医師はまず下剤を投与し、下剤の服用によっても効果がない場合に浣腸を実施するのが一般的である。
【０００３】
通常の薬剤投与や浣腸の実施によっても排便効果が発揮できない場合、医師は、大腸検査の時などに使用される、効力の強い下剤その他の薬液を一定時間毎に飲用させ便の軟化や下痢を誘発させるという手段を講ずることがある。
【０００４】
しかしながら、このような手段では薬液を飲みはじめてから排便までに数時間、あるいは十数時間という長い処置時間を要するうえ、薬液を投与された患者に腹痛その他の副作用を生じさせたり、薬液が効果を発揮し、排便が完了するまでの間、頻繁に便所と居室とを往復しなければならないという煩わしさがあるという問題点も指摘される。
【０００５】
これらを解決する手段の一つとして、医師が患者の肛門から直腸内に指を挿入して宿便を強制的に掻き出す「摘便」という処置を行っている。
【０００６】
指先によって宿便を掻き出す場合、比較的短い時間内に摘便を行うことができる利点はあるが、直腸内への指の挿入距離が肛門部から数センチと短く、しかも一本の指先だけで掻き出すため、摘便できる範囲や量がきわめて限定されたものとなって、摘便効果が完全ではないという問題点が指摘される。また、摘便に際し、患者に羞恥心や苦痛を与えることは勿論、宿便を掻き出す際に、挿入した指先によって直腸の内壁部を傷つける危険性のあることも指摘され、正確性、安全性、衛生面などの要望に適切に応じられる方法とはいえないという問題点も抱え、特に高齢者、寝たきり老人などの介護において宿便の処置には日夜苦労しているのが実情である。
【０００７】
このような問題に対応するためには、指先の挿入に代えて直腸内に滞留する宿便を強制的に吸引排出できる摘便用の器具の開発が望まれるが、現在までのところ、そのような便利な摘便器具は提案されていない。
【発明の概要】
【発明が解決しようとする課題】
【０００８】
本発明が解決しようとする問題点は、下剤の服用や浣腸の実施に頼る摘便効果の不完全な点や、肛門部から指先を挿入して宿便の掻き出しを行う摘便の不完全な点である。
【課題を解決するための手段】
【０００９】
上記の問題点を解決するため、本発明は、肛門より直腸内に挿入できる適宜太さと長さを持ち、両端部を開放した円筒状のシリンダーと、シリンダー内に挿入して、所定の距離を自由に摺動できる適宜長さのピストンとからなり、前記ピストンの先端に挿入ガイドを形成し、挿入ガイドの基端部に、外周部分がシリンダーの内壁に密接しながら摺動できる大きさの円形の密接部を形成したことを最も主要な特徴とした摘便用の器具である。
【００１０】
また、ピストンには、必要に応じて、ピストン本体の基端部から挿入ガイド部に通じるよう浣腸液などの薬液注入を行わせる薬液注入用の長孔が形成され、直腸内に滞留する頑固な宿便に対して軟化促進を図り、以後の摘便操作を容易に実施できるよう構成することを第２の特徴としている。
【発明の効果】
【００１１】
特に本発明によれば、直腸部に挿入された摘便器は、先端部が宿便部分に到達したシリンダーをその位置に固定し、ピストンだけを後退させれば、先端部を宿便によって塞がれたシリンダーとピストン先端部に取り付けた挿入ガイドとの間に強い負圧部が形成されるので、直腸内に滞留した宿便はシリンダー内に強制的に吸引、収容できる優れた摘便効果を発揮できる。
【００１２】
また、直腸内に滞留する宿便は肛門に近い部分ほど脱水状態となって硬化している場合が多いが、この場合でも、シリンダー内に形成された強い負圧によってシリンダーの先端部分に宿便の硬化部分が吸着されるので、シリンダーごと摘便用の器具を引き抜けば容易に摘便できる優れた効果を有するほか、宿便塊が巨大化した場合でも、あらかじめ指先などで排出可能な状態に解す（ほぐす）前処置により摘便が可能となり、従来の指先による宿便の掻きだしでは困難であった宿便の排出も容易に摘出できる優れた効果を発揮できる。
【００１３】
更にまた、第２の実施例に示すようにシリンダーに浣腸液などの注入を行わせる薬液注入部を形成すれば、直腸内に滞留し脱水状態のため硬化している宿便の軟化を図ることが可能となり、以後の摘便操作を容易に実施できる利点がある。
【００１４】
本発明によれば、これらの摘便処置のための時間を著しく短縮できるとともに、摘便処置時の患者に与える苦痛や心身への負担が大きく軽減されるほか、摘便時に生ずる多くの課題、例えば、便臭対策、汚物処置、病室及び処置室或いは家庭内における居室等の環境の浄化の問題がすべて解決できる。
【００１５】
本発明の摘便器は大腸検査における採便器としても利用できることは勿論のこと、本発明の摘便器を家庭に常備すれば一家の便秘の不安や悩みを解消される利点もある。
【図面の簡単な説明】
【００１６】
【図１】実施例１の構成を示す斜視図である。
【図２】実施例１の構成を示すためシリンダーとピストンとを分解して示す斜視図である。
【図３】実施例１の構成を示す縦断面図である。
【図４】実施例１における宿便の摘出状態を示す縦断面図である。
【図５】実施例２の構成を示すため、上下両端部の一部をそれぞれ拡大したピストンの縦断面図である。
【発明を実施するための形態】
【００１７】
以下、図面を参照して本発明の実施例を説明する。
【実施例１】
【００１８】
図１から図４は本発明の第１の実施例を示すものであり、シリンダー１と、シリンダー１内に挿入され、シリンダー１内を自由に摺動するピストン２とによって構成され、ピストン２の先端に形成した挿入ガイド２１部分はシリンダー１の先端から飛び出すよう構成している。
【００１９】
シリンダー１は、ポリエチレンなどの合成樹脂を用い、所望とする外径と長さを持ち、両端部を開口部１１，１１とした円筒状に形成し、円筒体の一方の開口部１１の外周には挿入操作と引き抜き操作の際の指掛け用の鍔１２を張り出し形成している。
【００２０】
ピストン２は、ポリエチレンなどの合成樹脂を用いて形成するもので、シリンダー１に挿入できる大きさをもった棒状体として形成し、先端部には直腸への挿入を容易にするための半球状の挿入ガイド２１を一体的に取り付け、基端部には指掛け用の鍔２２を張り出し形成している。
【００２１】
挿入ガイド２１は直腸への挿入を容易にし、挿入時に痛みや苦痛を与えず、或いは直腸の内壁を傷つけないためのものであり、ピストン２をシリンダー１に挿入した時に、挿入ガイド２１部分のみがシリンダーの先端開口部から突出できる長さとして構成している。
【００２２】
挿入ガイド２１は直腸への挿入を容易にし、挿入時に痛みや苦痛を与えず、或いは直腸の内壁を傷つけないよう半球状に形成している。
【００２３】
挿入ガイド２１の基端部（上端部）は、適宜の範囲でシリンダー１の内壁１３に密接し、かつ摺動を自在に行える外径を持たせた円形の密接部２１ａとしている。この円形の密接部２１ａの上面はピストン２の先端部に形成した取り付け板２３に貼り付け、ねじ止めその他の手段により取り付けている。
【００２４】
なお挿入ガイド２１、特にシリンダー１の内壁１３に密接しながら摺動する円形の密接部２１ａは、挿入ガイド２１の吸引操作時にシリンダー１内に形成される強い負圧に耐えられるようゴムなどの素材を用いることが望ましい。挿入ガイド２１と円形の密接部２１ａは両者を一体的に形成することも別体として形成することも自由である。
【００２５】
実施例においてピストン２は、断面形状が十字状を呈する棒状体として例示しているが、特にこれに限定されるものではなく、使用に耐えうる十分な強度を持った棒状体であればどのような形状のものでも差し支えない。
【００２６】
２４は指掛け用の鍔２２の下面に形成した挿入ストローク規制用のストッパーであり、ピストン２をシリンダー１内に挿入した際、先端に取り付けた挿入ガイド２１以外の部分がシリンダー１の先端開口部１１から飛び出さないよう図っている。
【００２７】
図中４は宿便である。
【実施例２】
【００２８】
図５は本発明の第２の実施例を示すものであり、主要な構成部分であるピストン２部分のみを示している。
【００２９】
３はピストン２の軸方向に沿って形成された薬液注入用の長孔であり、棒状体をなすピストン本体の側面に一体的に形成し、一方の端部は指掛け用の鍔２２に形成した薬液注入孔２２ａに接続し、下端部は半球状の挿入ガイド２１に設けた薬液注出孔２１ｂに接続している。
【００３０】
以上のように構成した実施例１の作動について説明する。
【００３１】
直腸内に挿入された摘便用器具は、シリンダー１の先端部から飛び出ている挿入ガイド２１が直腸内に滞留する宿便４に到達し、少しだけ宿便４内に貫入した状態で、シリンダー１をそのままにして、ピストン２だけを引き抜くよう後退させる。
【００３２】
挿入ガイド２１の基端部に形成した密接部２１ａ部分を、シリンダー１の内壁１３に摺動自在に密接させているので、ピストン２を後退させると、先端の開口部１１が宿便４によって塞がれたシリンダー１と、ピストン先端部の挿入ガイド２１との間に強い負圧部分が作りだされるので、宿便４は負圧によってシリンダー１内に吸引されて摘便が実行される。
【００３３】
また脱水状態の進行により宿便４の端部（肛門に近い部位）が硬くなっている場合は、ピストン２の後退により発生した負圧によってシリンダー１の開口部１１に強く吸着されるので、そのままシリンダー１を含む摘便器具全体を引き抜くことにより硬化部分を摘出することができ、以後の摘便が実行できる。
【００３４】
次に実施例２の作動について説明する。
【００３５】
図５に示す第２の実施例は宿便４が脱水状態となって硬化した場合の摘便に適用するものであり、摘便に先駆けて浣腸液などの薬液注入を一つの摘便器具によって同時に行うためのものである。
【００３６】
第２の実施例における機構の変更は、第１の実施例におけるピストン２に薬液注入のための機構を付加したことであり、ピストン２の指掛け用の鍔２２に形成した薬液注入孔２２ａから注入された薬液が、これに接続した長孔３を介して挿入ガイド２１に形成した薬液注出孔２１ｂへと送り出され、宿便４の軟化を行わせる。２２ｂは薬液注入孔２２ａに取り付けた密閉栓である。
【００３７】
軟化した宿便４に対する摘便操作は実施例１の場合と全く同じ操作である。
【符号の説明】
【００３８】
１  シリンダー
２  ピストン
３  薬液注入用の長孔
１１  開口部
１２  指掛け用の鍔
１３  内壁
２１  挿入ガイド
２１ａ  円形の密接部
２１ｂ  薬液注出用の孔
２２  指掛け用の鍔
２２ａ  薬液の注入孔
２２ｂ  密閉栓
２３  取り付け板
２４  挿入規制用のストッパー
【図１】
2011172619.tif 000003
【図２】
2011172619.tif 000004
【図３】
2011172619.tif 000005
【図４】
2011172619.tif 000006
【図５】
2011172619.tif 000007